(57)【特許請求の範囲】
【請求項１】
文書を受け付ける文書受付手段と、
情報を受け付ける情報受付手段と、
前記文書受付手段によって受け付けられた文書に、前記情報受付手段によって受け付けられた情報であって、前記文書受付手段によって受け付けられた文書に関する情報を表す情報画像を合成する位置を示す位置情報を受け付ける位置情報受付手段と、
前記情報画像が前記文書内を隠蔽する領域である隠蔽領域を抽出する隠蔽領域抽出手段と、
前記情報受付手段によって受け付けられた情報と前記隠蔽領域抽出手段によって抽出された隠蔽領域内の画像を示す情報は前記情報画像内に収まるか否かを判断する判断手段と、
前記判断手段によって前記情報画像内に収まらないと判断された場合は、該情報画像内に収まるように、前記隠蔽領域抽出手段によって抽出された隠蔽領域内の画像を示す情報を選択する選択手段と、
前記情報受付手段によって受け付けられた情報と前記選択手段によって選択された画像を示す情報を表す情報画像を生成する情報画像生成手段と、
前記情報画像生成手段によって生成された情報画像を前記位置情報に基づいて、前記文書に合成する情報画像合成手段と、
前記情報画像合成手段によって情報画像が合成された文書を出力する出力手段
を具備し、
前記選択手段は、前記隠蔽領域抽出手段によって抽出された隠蔽領域内の画素塊が該隠蔽領域の境界を横切っていないものを優先して選択する
ことを特徴とする画像処理装置。
【請求項２】
文書を受け付ける文書受付手段と、
情報を受け付ける情報受付手段と、
前記文書受付手段によって受け付けられた文書に、前記情報受付手段によって受け付けられた情報であって、前記文書受付手段によって受け付けられた文書に関する情報を表す情報画像を合成する位置を示す位置情報を受け付ける位置情報受付手段と、
前記情報画像が前記文書内を隠蔽する領域である隠蔽領域を抽出する隠蔽領域抽出手段と、
前記情報受付手段によって受け付けられた情報と前記隠蔽領域抽出手段によって抽出された隠蔽領域内の画像を示す情報は前記情報画像内に収まるか否かを判断する判断手段と、
画像から文字を切り出す文字切出手段と、
前記判断手段によって前記情報画像内に収まらないと判断された場合は、該情報画像内に収まるように、前記隠蔽領域抽出手段によって抽出された隠蔽領域内の画像を示す情報を選択する選択手段と、
前記情報受付手段によって受け付けられた情報と前記選択手段によって選択された画像を示す情報を表す情報画像を生成する情報画像生成手段と、
前記情報画像生成手段によって生成された情報画像を前記位置情報に基づいて、前記文書に合成する情報画像合成手段と、
前記情報画像合成手段によって情報画像が合成された文書を出力する出力手段
を具備し、
前記選択手段は、前記文字切出手段によって切り出された文字が前記隠蔽領域の境界を横切っていないものを優先して選択する
ことを特徴とする画像処理装置。
【請求項３】
前記選択手段によって選択された文字を認識する文字認識手段
をさらに具備し、
前記選択手段は、前記文字認識手段による認識結果を前記情報画像内に含める情報として選択し、
前記情報画像生成手段は、前記情報受付手段によって受け付けられた情報と前記選択手段によって選択された認識結果を表す情報画像を生成する
ことを特徴とする請求項２に記載の画像処理装置。
【請求項４】
文書を受け付ける第１の文書受付手段と、
情報を受け付ける情報受付手段と、
前記第１の文書受付手段によって受け付けられた文書に、前記情報受付手段によって受け付けられた情報であって、前記第１の文書受付手段によって受け付けられた文書に関する情報を表す情報画像を合成する位置を示す位置情報を受け付ける位置情報受付手段と、
前記情報画像が前記文書内を隠蔽する領域である隠蔽領域を抽出する隠蔽領域抽出手段と、
前記情報受付手段によって受け付けられた情報と前記隠蔽領域抽出手段によって抽出された隠蔽領域内の画像を示す情報は前記情報画像内に収まるか否かを判断する判断手段と、
前記判断手段によって前記情報画像内に収まらないと判断された場合は、該情報画像内に収まるように、前記隠蔽領域抽出手段によって抽出された隠蔽領域内の画像を示す情報を選択する選択手段と、
前記情報受付手段によって受け付けられた情報と前記選択手段によって選択された画像を示す情報を表す情報画像を生成する情報画像生成手段と、
前記情報画像生成手段によって生成された情報画像を前記位置情報に基づいて、前記文書に合成する情報画像合成手段と、
前記情報画像合成手段によって情報画像が合成された文書を出力する第１の出力手段と、
情報画像が合成された文書を受け付ける第２の文書受付手段と、
前記第２の文書受付手段によって受け付けられた文書内にある情報画像を抽出する情報画像抽出手段と、
前記情報画像抽出手段によって抽出された情報画像を解析する情報画像解析手段と、
前記情報画像解析手段によって解析された結果内の前記隠蔽領域内の画像を示す情報に基づいて、該隠蔽領域の画像を復元する隠蔽領域復元手段と、
前記隠蔽領域復元手段によって復元された隠蔽領域の画像を前記第２の文書受付手段によって受け付けられた文書に合成した文書を出力する第２の出力手段
を具備し、
前記選択手段は、前記隠蔽領域抽出手段によって抽出された隠蔽領域内の画素塊が該隠蔽領域の境界を横切っていないものを優先して選択する
ことを特徴とする画像処理装置。
【請求項５】
コンピュータを、
文書を受け付ける文書受付手段と、
情報を受け付ける情報受付手段と、
前記文書受付手段によって受け付けられた文書に、前記情報受付手段によって受け付けられた情報であって、前記文書受付手段によって受け付けられた文書に関する情報を表す情報画像を合成する位置を示す位置情報を受け付ける位置情報受付手段と、
前記情報画像が前記文書内を隠蔽する領域である隠蔽領域を抽出する隠蔽領域抽出手段と、
前記情報受付手段によって受け付けられた情報と前記隠蔽領域抽出手段によって抽出された隠蔽領域内の画像を示す情報は前記情報画像内に収まるか否かを判断する判断手段と、
前記判断手段によって前記情報画像内に収まらないと判断された場合は、該情報画像内に収まるように、前記隠蔽領域抽出手段によって抽出された隠蔽領域内の画像を示す情報を選択する選択手段と、
前記情報受付手段によって受け付けられた情報と前記選択手段によって選択された画像を示す情報を表す情報画像を生成する情報画像生成手段と、
前記情報画像生成手段によって生成された情報画像を前記位置情報に基づいて、前記文書に合成する情報画像合成手段と、
前記情報画像合成手段によって情報画像が合成された文書を出力する出力手段
として機能させ、
前記選択手段は、前記隠蔽領域抽出手段によって抽出された隠蔽領域内の画素塊が該隠蔽領域の境界を横切っていないものを優先して選択する
ことを特徴とする画像処理プログラム。
【請求項６】
コンピュータを、
文書を受け付ける文書受付手段と、
情報を受け付ける情報受付手段と、
前記文書受付手段によって受け付けられた文書に、前記情報受付手段によって受け付けられた情報であって、前記文書受付手段によって受け付けられた文書に関する情報を表す情報画像を合成する位置を示す位置情報を受け付ける位置情報受付手段と、
前記情報画像が前記文書内を隠蔽する領域である隠蔽領域を抽出する隠蔽領域抽出手段と、
前記情報受付手段によって受け付けられた情報と前記隠蔽領域抽出手段によって抽出された隠蔽領域内の画像を示す情報は前記情報画像内に収まるか否かを判断する判断手段と、
画像から文字を切り出す文字切出手段と、
前記判断手段によって前記情報画像内に収まらないと判断された場合は、該情報画像内に収まるように、前記隠蔽領域抽出手段によって抽出された隠蔽領域内の画像を示す情報を選択する選択手段と、
前記情報受付手段によって受け付けられた情報と前記選択手段によって選択された画像を示す情報を表す情報画像を生成する情報画像生成手段と、
前記情報画像生成手段によって生成された情報画像を前記位置情報に基づいて、前記文書に合成する情報画像合成手段と、
前記情報画像合成手段によって情報画像が合成された文書を出力する出力手段
として機能させ、
前記選択手段は、前記文字切出手段によって切り出された文字が前記隠蔽領域の境界を横切っていないものを優先して選択する
ことを特徴とする画像処理プログラム。
【請求項７】
コンピュータを、
文書を受け付ける第１の文書受付手段と、
情報を受け付ける情報受付手段と、
前記第１の文書受付手段によって受け付けられた文書に、前記情報受付手段によって受け付けられた情報であって、前記第１の文書受付手段によって受け付けられた文書に関する情報を表す情報画像を合成する位置を示す位置情報を受け付ける位置情報受付手段と、
前記情報画像が前記文書内を隠蔽する領域である隠蔽領域を抽出する隠蔽領域抽出手段と、
前記情報受付手段によって受け付けられた情報と前記隠蔽領域抽出手段によって抽出された隠蔽領域内の画像を示す情報は前記情報画像内に収まるか否かを判断する判断手段と、
前記判断手段によって前記情報画像内に収まらないと判断された場合は、該情報画像内に収まるように、前記隠蔽領域抽出手段によって抽出された隠蔽領域内の画像を示す情報を選択する選択手段と、
前記情報受付手段によって受け付けられた情報と前記選択手段によって選択された画像を示す情報を表す情報画像を生成する情報画像生成手段と、
前記情報画像生成手段によって生成された情報画像を前記位置情報に基づいて、前記文書に合成する情報画像合成手段と、
前記情報画像合成手段によって情報画像が合成された文書を出力する第１の出力手段と、
情報画像が合成された文書を受け付ける第２の文書受付手段と、
前記第２の文書受付手段によって受け付けられた文書内にある情報画像を抽出する情報画像抽出手段と、
前記情報画像抽出手段によって抽出された情報画像を解析する情報画像解析手段と、
前記情報画像解析手段によって解析された結果内の前記隠蔽領域内の画像を示す情報に基づいて、該隠蔽領域の画像を復元する隠蔽領域復元手段と、
前記隠蔽領域復元手段によって復元された隠蔽領域の画像を前記第２の文書受付手段によって受け付けられた文書に合成した文書を出力する第２の出力手段
として機能させ、
前記選択手段は、前記隠蔽領域抽出手段によって抽出された隠蔽領域内の画素塊が該隠蔽領域の境界を横切っていないものを優先して選択する
ことを特徴とする画像処理プログラム。
【発明の詳細な説明】
【技術分野】
【０００１】
本発明は、画像処理装置及び画像処理プログラムに関する。
【背景技術】
【０００２】
情報画像を付加する技術がある。
これに関連する技術として、例えば、特許文献１には、画像に付加情報を埋め込む際に、画像に埋め込み可能情報量が不足している場合に、画像の白地面積を増やす画像処理を施して埋め込み可能情報量を増加させることを課題とし、画像を入力すると共に付加情報である埋め込み情報を入力し、入力された画像内に、入力された情報を埋め込むことができるか否かを、画像内の白地の大きさにより判定し、埋め込み不可と判断した場合、強制的に地肌除去等の画像の編集を行って白地面積を増大させ、その後、入力された画像内に、入力された情報を埋め込む処理を行うことが開示されている。
【０００３】
また、例えば、特許文献２には、電子文書の作成時にレイアウトエラーが発生すると、コンテンツの一部が欠けた電子文書がクライアントに配信され、この電子文書を受信したユーザーは、望む情報を充分に閲覧できないことを課題とし、文書テンプレートの定義に従い、レコード毎に管理されるコンテンツを複数のコンテナに挿入して電子文書を生成し、その際、コンテナにコンテンツを挿入した際のオーバフローを検出し、オーバフローしたデータをアノテーション形式のデータとして電子文書に付加することが開示されている。
【０００４】
また、例えば、特許文献３には、ドキュメント中に埋め込み符号によってデータを埋め込む場合に、埋め込みを行う複数の領域が分散していても、各データの容量や領域の大きさを考慮することなく各データの埋め込みを行えるようにすることを課題とし、ドキュメント上の複数の物理領域が一括して論理領域として管理され、複数のデータはまず連結されて論理領域データ（単一のデータ連結ブロック）とされ、各物理領域毎に分割され、分割された各物理領域データは符号化されて複数の符号データが生成され、それらの符号データは各物理領域に埋め込まれ、復号時においてはそれと逆の処理が実行されることが開示されている。
【先行技術文献】
【特許文献】
【０００５】
【特許文献１】特開２００９−０２１７７６号公報
【特許文献２】特開２００７−３１６８７３号公報
【特許文献３】特開２００１−１８６３３１号公報
【発明の概要】
【発明が解決しようとする課題】
【０００６】
本発明は、情報画像を合成することによって文書内の領域を隠蔽し、その隠蔽された領域を復元できるような情報画像を生成する場合に、情報画像内に隠蔽領域の情報が収まらないときには、隠蔽領域内の画像を示す情報を選択して情報画像を生成するようにした画像処理装置及び画像処理プログラムを提供することを目的としている。
【課題を解決するための手段】
【０００７】
かかる目的を達成するための本発明の要旨とするところは、次の各項の発明に存する。
請求項１の発明は、文書を受け付ける文書受付手段と、情報を受け付ける情報受付手段と、前記文書受付手段によって受け付けられた文書に、前記情報受付手段によって受け付けられた情報であって、前記文書受付手段によって受け付けられた文書に関する情報を表す情報画像を合成する位置を示す位置情報を受け付ける位置情報受付手段と、前記情報画像が前記文書内を隠蔽する領域である隠蔽領域を抽出する隠蔽領域抽出手段と、前記情報受付手段によって受け付けられた情報と前記隠蔽領域抽出手段によって抽出された隠蔽領域内の画像を示す情報は前記情報画像内に収まるか否かを判断する判断手段と、前記判断手段によって前記情報画像内に収まらないと判断された場合は、該情報画像内に収まるように、前記隠蔽領域抽出手段によって抽出された隠蔽領域内の画像を示す情報を選択する選択手段と、前記情報受付手段によって受け付けられた情報と前記選択手段によって選択された画像を示す情報を表す情報画像を生成する情報画像生成手段と、前記情報画像生成手段によって生成された情報画像を前記位置情報に基づいて、前記文書に合成する情報画像合成手段と、前記情報画像合成手段によって情報画像が合成された文書を出力する出力手段を具備し、前記選択手段は、前記隠蔽領域抽出手段によって抽出された隠蔽領域内の画素塊が該隠蔽領域の境界を横切っていないものを優先して選択することを特徴とする画像処理装置である。
【０００８】
請求項２の発明は、文書を受け付ける文書受付手段と、情報を受け付ける情報受付手段と、前記文書受付手段によって受け付けられた文書に、前記情報受付手段によって受け付けられた情報であって、前記文書受付手段によって受け付けられた文書に関する情報を表す情報画像を合成する位置を示す位置情報を受け付ける位置情報受付手段と、前記情報画像が前記文書内を隠蔽する領域である隠蔽領域を抽出する隠蔽領域抽出手段と、前記情報受付手段によって受け付けられた情報と前記隠蔽領域抽出手段によって抽出された隠蔽領域内の画像を示す情報は前記情報画像内に収まるか否かを判断する判断手段と、画像から文字を切り出す文字切出手段と、前記判断手段によって前記情報画像内に収まらないと判断された場合は、該情報画像内に収まるように、前記隠蔽領域抽出手段によって抽出された隠蔽領域内の画像を示す情報を選択する選択手段と、前記情報受付手段によって受け付けられた情報と前記選択手段によって選択された画像を示す情報を表す情報画像を生成する情報画像生成手段と、前記情報画像生成手段によって生成された情報画像を前記位置情報に基づいて、前記文書に合成する情報画像合成手段と、前記情報画像合成手段によって情報画像が合成された文書を出力する出力手段を具備し、前記選択手段は、前記文字切出手段によって切り出された文字が前記隠蔽領域の境界を横切っていないものを優先して選択することを特徴とする画像処理装置である。
【００１０】
請求項３の発明は、前記選択手段によって選択された文字を認識する文字認識手段をさらに具備し、前記選択手段は、前記文字認識手段による認識結果を前記情報画像内に含める情報として選択し、前記情報画像生成手段は、前記情報受付手段によって受け付けられた情報と前記選択手段によって選択された認識結果を表す情報画像を生成することを特徴とする請求項２に記載の画像処理装置である。
【００１１】
請求項４の発明は、文書を受け付ける第１の文書受付手段と、情報を受け付ける情報受付手段と、前記第１の文書受付手段によって受け付けられた文書に、前記情報受付手段によって受け付けられた情報であって、前記第１の文書受付手段によって受け付けられた文書に関する情報を表す情報画像を合成する位置を示す位置情報を受け付ける位置情報受付手段と、前記情報画像が前記文書内を隠蔽する領域である隠蔽領域を抽出する隠蔽領域抽出手段と、前記情報受付手段によって受け付けられた情報と前記隠蔽領域抽出手段によって抽出された隠蔽領域内の画像を示す情報は前記情報画像内に収まるか否かを判断する判断手段と、前記判断手段によって前記情報画像内に収まらないと判断された場合は、該情報画像内に収まるように、前記隠蔽領域抽出手段によって抽出された隠蔽領域内の画像を示す情報を選択する選択手段と、前記情報受付手段によって受け付けられた情報と前記選択手段によって選択された画像を示す情報を表す情報画像を生成する情報画像生成手段と、前記情報画像生成手段によって生成された情報画像を前記位置情報に基づいて、前記文書に合成する情報画像合成手段と、前記情報画像合成手段によって情報画像が合成された文書を出力する第１の出力手段と、情報画像が合成された文書を受け付ける第２の文書受付手段と、前記第２の文書受付手段によって受け付けられた文書内にある情報画像を抽出する情報画像抽出手段と、前記情報画像抽出手段によって抽出された情報画像を解析する情報画像解析手段と、前記情報画像解析手段によって解析された結果内の前記隠蔽領域内の画像を示す情報に基づいて、該隠蔽領域の画像を復元する隠蔽領域復元手段と、前記隠蔽領域復元手段によって復元された隠蔽領域の画像を前記第２の文書受付手段によって受け付けられた文書に合成した文書を出力する第２の出力手段を具備し、前記選択手段は、前記隠蔽領域抽出手段によって抽出された隠蔽領域内の画素塊が該隠蔽領域の境界を横切っていないものを優先して選択することを特徴とする画像処理装置である。
【００１２】
請求項５の発明は、コンピュータを、文書を受け付ける文書受付手段と、情報を受け付ける情報受付手段と、前記文書受付手段によって受け付けられた文書に、前記情報受付手段によって受け付けられた情報であって、前記文書受付手段によって受け付けられた文書に関する情報を表す情報画像を合成する位置を示す位置情報を受け付ける位置情報受付手段と、前記情報画像が前記文書内を隠蔽する領域である隠蔽領域を抽出する隠蔽領域抽出手段と、前記情報受付手段によって受け付けられた情報と前記隠蔽領域抽出手段によって抽出された隠蔽領域内の画像を示す情報は前記情報画像内に収まるか否かを判断する判断手段と、前記判断手段によって前記情報画像内に収まらないと判断された場合は、該情報画像内に収まるように、前記隠蔽領域抽出手段によって抽出された隠蔽領域内の画像を示す情報を選択する選択手段と、前記情報受付手段によって受け付けられた情報と前記選択手段によって選択された画像を示す情報を表す情報画像を生成する情報画像生成手段と、前記情報画像生成手段によって生成された情報画像を前記位置情報に基づいて、前記文書に合成する情報画像合成手段と、前記情報画像合成手段によって情報画像が合成された文書を出力する出力手段として機能させ、前記選択手段は、前記隠蔽領域抽出手段によって抽出された隠蔽領域内の画素塊が該隠蔽領域の境界を横切っていないものを優先して選択することを特徴とする画像処理プログラムである。
請求項６の発明は、コンピュータを、文書を受け付ける文書受付手段と、情報を受け付ける情報受付手段と、前記文書受付手段によって受け付けられた文書に、前記情報受付手段によって受け付けられた情報であって、前記文書受付手段によって受け付けられた文書に関する情報を表す情報画像を合成する位置を示す位置情報を受け付ける位置情報受付手段と、前記情報画像が前記文書内を隠蔽する領域である隠蔽領域を抽出する隠蔽領域抽出手段と、前記情報受付手段によって受け付けられた情報と前記隠蔽領域抽出手段によって抽出された隠蔽領域内の画像を示す情報は前記情報画像内に収まるか否かを判断する判断手段と、画像から文字を切り出す文字切出手段と、前記判断手段によって前記情報画像内に収まらないと判断された場合は、該情報画像内に収まるように、前記隠蔽領域抽出手段によって抽出された隠蔽領域内の画像を示す情報を選択する選択手段と、前記情報受付手段によって受け付けられた情報と前記選択手段によって選択された画像を示す情報を表す情報画像を生成する情報画像生成手段と、前記情報画像生成手段によって生成された情報画像を前記位置情報に基づいて、前記文書に合成する情報画像合成手段と、前記情報画像合成手段によって情報画像が合成された文書を出力する出力手段として機能させ、前記選択手段は、前記文字切出手段によって切り出された文字が前記隠蔽領域の境界を横切っていないものを優先して選択することを特徴とする画像処理プログラムである。
【００１３】
請求項７の発明は、コンピュータを、文書を受け付ける第１の文書受付手段と、情報を受け付ける情報受付手段と、前記第１の文書受付手段によって受け付けられた文書に、前記情報受付手段によって受け付けられた情報であって、前記第１の文書受付手段によって受け付けられた文書に関する情報を表す情報画像を合成する位置を示す位置情報を受け付ける位置情報受付手段と、前記情報画像が前記文書内を隠蔽する領域である隠蔽領域を抽出する隠蔽領域抽出手段と、前記情報受付手段によって受け付けられた情報と前記隠蔽領域抽出手段によって抽出された隠蔽領域内の画像を示す情報は前記情報画像内に収まるか否かを判断する判断手段と、前記判断手段によって前記情報画像内に収まらないと判断された場合は、該情報画像内に収まるように、前記隠蔽領域抽出手段によって抽出された隠蔽領域内の画像を示す情報を選択する選択手段と、前記情報受付手段によって受け付けられた情報と前記選択手段によって選択された画像を示す情報を表す情報画像を生成する情報画像生成手段と、前記情報画像生成手段によって生成された情報画像を前記位置情報に基づいて、前記文書に合成する情報画像合成手段と、前記情報画像合成手段によって情報画像が合成された文書を出力する第１の出力手段と、情報画像が合成された文書を受け付ける第２の文書受付手段と、前記第２の文書受付手段によって受け付けられた文書内にある情報画像を抽出する情報画像抽出手段と、前記情報画像抽出手段によって抽出された情報画像を解析する情報画像解析手段と、前記情報画像解析手段によって解析された結果内の前記隠蔽領域内の画像を示す情報に基づいて、該隠蔽領域の画像を復元する隠蔽領域復元手段と、前記隠蔽領域復元手段によって復元された隠蔽領域の画像を前記第２の文書受付手段によって受け付けられた文書に合成した文書を出力する第２の出力手段として機能させ、前記選択手段は、前記隠蔽領域抽出手段によって抽出された隠蔽領域内の画素塊が該隠蔽領域の境界を横切っていないものを優先して選択することを特徴とする画像処理プログラムである。
【発明の効果】
【００１４】
請求項１の画像処理装置によれば、情報画像を合成することによって文書内の領域を隠蔽し、その隠蔽された領域を復元できるような情報画像を生成する場合に、情報画像内に隠蔽領域の情報が収まらないときには、隠蔽領域内の画像を示す情報を選択して情報画像を生成することができる。また、隠蔽領域内の画素塊がその隠蔽領域の境界を横切っているものを優先して情報画像内に含めてしまうことを防止することができる。
【００１５】
請求項２の画像処理装置によれば、情報画像を合成することによって文書内の領域を隠蔽し、その隠蔽された領域を復元できるような情報画像を生成する場合に、情報画像内に隠蔽領域の情報が収まらないときには、隠蔽領域内の画像を示す情報を選択して情報画像を生成することができる。また、隠蔽領域の境界を横切っている文字を優先して情報画像内に含めてしまうことを防止することができる。
【００１７】
請求項３の画像処理装置によれば、文字認識結果を情報画像内に含めることができる。
【００１８】
請求項４の画像処理装置によれば、情報画像を合成することによって文書内の領域を隠蔽した場合に、その隠蔽された領域を復元できる。また、隠蔽領域内の画素塊がその隠蔽領域の境界を横切っているものを優先して情報画像内に含めてしまうことを防止することができる。
【００１９】
請求項５の画像処理プログラムによれば、情報画像を合成することによって文書内の領域を隠蔽し、その隠蔽された領域を復元できるような情報画像を生成する場合に、情報画像内に隠蔽領域の情報が収まらないときには、隠蔽領域内の画像を示す情報を選択して情報画像を生成することができる。また、隠蔽領域内の画素塊がその隠蔽領域の境界を横切っているものを優先して情報画像内に含めてしまうことを防止することができる。
請求項６の画像処理プログラムによれば、情報画像を合成することによって文書内の領域を隠蔽し、その隠蔽された領域を復元できるような情報画像を生成する場合に、情報画像内に隠蔽領域の情報が収まらないときには、隠蔽領域内の画像を示す情報を選択して情報画像を生成することができる。また、隠蔽領域の境界を横切っている文字を優先して情報画像内に含めてしまうことを防止することができる。
【００２０】
請求項７の画像処理プログラムによれば、情報画像を合成することによって文書内の領域を隠蔽した場合に、その隠蔽された領域を復元できる。また、隠蔽領域内の画素塊がその隠蔽領域の境界を横切っているものを優先して情報画像内に含めてしまうことを防止することができる。
【図面の簡単な説明】
【００２１】
【図１】本実施の形態（情報画像合成）の構成例についての概念的なモジュール構成図である。
【図２】情報画像処理モジュール内の構成例についての概念的なモジュール構成図である。
【図３】判断モジュール内の構成例についての概念的なモジュール構成図である。
【図４】選択モジュール内の構成例についての概念的なモジュール構成図である。
【図５】本実施の形態（情報画像合成）による処理例を示すフローチャートである。
【図６】情報画像処理モジュールによる処理例を示すフローチャートである。
【図７】選択モジュールによる処理例を示すフローチャートである。
【図８】対象文書と情報画像を合成した対象文書の例を示す説明図である。
【図９】情報画像の例を示す説明図である。
【図１０】隠蔽領域内の処理例を示す説明図である。
【図１１】埋込情報フォーマットの例を示す説明図である。
【図１２】本実施の形態（情報画像解析）の構成例についての概念的なモジュール構成図である。
【図１３】本実施の形態（情報画像解析）による処理例を示すフローチャートである。
【図１４】本実施の形態を実現するコンピュータのハードウェア構成例を示すブロック図である。
【発明を実施するための形態】
【００２２】
以下、図面に基づき本発明を実現するにあたっての好適な一実施の形態の例を説明する。
図１は、本実施の形態（情報画像合成）の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するの意である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態に応じて、又はそれまでの状況・状態に応じて定まることの意を含めて用いる。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００２３】
本実施の形態である画像処理装置は、文書に情報画像を合成するものであって、図１の例に示すように、文書受付モジュール１１０、情報受付モジュール１２０、合成位置受付モジュール１３０、判断モジュール１４０、選択モジュール１５０、情報画像生成モジュール１６０、情報画像合成モジュール１７０、出力モジュール１８０を有している。特に、合成対象である文書内に情報画像を合成するための余白が確保できない場合に用いられるものである。なお、その情報画像を合成した文書を解析する実施の形態については、図１２、図１３を用いて後述する。
情報画像とは、機械可読な態様で電子データを表すために体系的に作られた画像コードをいい、具体的には、１次元バーコード、２次元コード等がある。特に、最近は、２次元コードとして、ＱＲコード（登録商標、Ｑｕｉｃｋ  Ｒｅｓｐｏｎｓｅ  ｃｏｄｅ）が用いられており、本実施の形態においてもこのＱＲコードを例示する。
【００２４】
文書受付モジュール１１０は、判断モジュール１４０、情報画像合成モジュール１７０と接続されている。文書受付モジュール１１０は、文書を受け付け、その文書を判断モジュール１４０、情報画像合成モジュール１７０へ渡す。なお、文書とは、画像、テキストデータ、又はこれらの組み合わせ、場合によっては動画、音声等の電子データを含み、記憶、編集及び検索等の対象となり、システム又は利用者間で個別の単位として交換できるものをいい、これらに類似するものを含む。画像である文書を受け付けるとは、例えば、スキャナ、カメラ等で画像を読み込むこと、ファックス等で通信回線を介して外部機器から画像を受信すること、ハードディスク（コンピュータに内蔵されているものの他に、ネットワークを介して接続されているもの等を含む）等に記憶されている画像を読み出すこと等が含まれる。画像は、２値画像、多値画像（カラー画像を含む）であってもよい。受け付ける画像は、１枚であってもよいし、複数枚であってもよい。また、画像の内容として、ビジネスに用いられる文書、広告宣伝用のパンフレット等であってもよい。また、テキストデータを主とした文書を受け付けるとは、文書作成プログラムを用いて作成された文書を受け取ること、ハードディスク等に記憶されている文書を読み出すこと等が含まれる。
【００２５】
情報受付モジュール１２０は、判断モジュール１４０と接続されている。情報受付モジュール１２０は、情報を受け付け、その情報を判断モジュール１４０へ渡す。ここでの情報とは、情報画像内に含める情報であり、その情報画像を合成する文書（文書受付モジュール１１０が受け付けた文書）に関する情報である。例えば、文書に関する情報（文書の属性として、具体的には、文書を作成したユーザー、作成日時、更新したユーザー、更新日時等）、文書に対する処理の命令を示す情報（文書内の予め定められた箇所に手書きの書き込みがある場合は、その文書を予め定められた場所（フォルダ名）に格納する等）等がある。
【００２６】
また、情報受付モジュール１２０の前処理として、情報画像処理モジュール２００による処理を行ってもよい。つまり、既に情報画像が用意されている場合に対応するものである。図２は、情報画像処理モジュール２００内の構成例についての概念的なモジュール構成図である。情報画像処理モジュール２００は、情報画像受付モジュール２１０、情報画像解析モジュール２２０、情報画像サイズ計測モジュール２３０を有している。情報画像処理モジュール２００と情報受付モジュール１２０は接続されている。
情報画像受付モジュール２１０は、情報画像を受け付ける。例えば、文書の種類と情報画像を対応させて記憶しているテーブルから、その文書に応じた情報画像を読み出すようにしてもよい。
情報画像解析モジュール２２０は、情報画像受付モジュール２１０が受け付けた情報画像を解析して、その情報画像内の情報を読み出す。この読み出した情報を情報受付モジュール１２０に渡す。
情報画像サイズ計測モジュール２３０は、情報画像受付モジュール２１０が受け付けた情報画像のサイズを計測する。例えば、縦長、横長を計測する。この情報画像のサイズを情報受付モジュール１２０に渡す。
【００２７】
合成位置受付モジュール１３０は、判断モジュール１４０と接続されている。合成位置受付モジュール１３０は、文書受付モジュール１１０によって受け付けられた文書に、情報受付モジュール１２０によって受け付けられた情報を表す情報画像を合成する位置を示す位置情報を受け付け、その位置情報を判断モジュール１４０へ渡す。位置情報としては、例えば、文書の左上を原点（０，０）としたＸＹ座標系において、情報画像の中心、左上等の座標がある。また、ここでの受け付ける処理とは、例えば、文書の種類と位置情報を対応させて記憶しているテーブルから、その文書に応じた位置情報を読み出すことであってもよいし、ユーザーによるキーボード、マウス、タッチパネル等の操作に応じて、文書に情報画像を合成させた場合の位置情報を受け付けるようにしてもよい。
【００２８】
判断モジュール１４０は、文書受付モジュール１１０、情報受付モジュール１２０、合成位置受付モジュール１３０、選択モジュール１５０、情報画像生成モジュール１６０と接続されている。また、判断モジュール１４０は、図３に例示するようなモジュール構成を有していてもよい。判断モジュール１４０は、隠蔽領域抽出モジュール３１０、圧縮モジュール３２０を有している。
【００２９】
隠蔽領域抽出モジュール３１０は、情報受付モジュール１２０によって受け付けられた情報を表す情報画像が、文書受付モジュール１１０によって受け付けられた文書内を隠蔽する領域である隠蔽領域を抽出する。情報画像を合成位置受付モジュール１３０によって受け付けられた位置情報の位置に合成することによって、隠蔽されてしまう領域の画像を抽出する。もちろんのことながら、ここでの合成とは、貼り付けであり、情報画像が貼り付けられた領域の画像は、文書からは消去されてしまうことになる。また、情報画像のサイズは、情報画像サイズ計測モジュール２３０によって計測されたサイズであってもよいし、合成する情報画像の種類が予め定められている場合は、その情報画像の既定されたサイズを用いてもよい。
【００３０】
圧縮モジュール３２０は、隠蔽領域抽出モジュール３１０によって抽出された隠蔽領域内の画像を圧縮する。可逆圧縮であってもよいし、非可逆圧縮であってもよい。例えば、ランレングス符号化、ＪＰＥＧ等がある。この圧縮後のデータが隠蔽領域内の画像を示す情報となる。
なお、圧縮モジュール３２０は、必ずしも必要ではなく、隠蔽領域内の有色（例えば、黒色）の画素の座標位置、画素値を隠蔽領域内の画像を示す情報としてもよい。具体的には、各画素（ｉ  ＝  １〜ｎ）の座標位置（ｘ［ｉ］，ｙ［ｉ］）と画素値（Ｒ［ｉ］，Ｇ［ｉ］，Ｂ［ｉ］）の組み合わせで表現されたデータ列としてもよい。
【００３１】
判断モジュール１４０は、情報受付モジュール１２０によって受け付けられた情報と隠蔽領域抽出モジュール３１０によって抽出された隠蔽領域内の画像を示す情報は情報画像内に収まるか否かを判断する。情報画像内に収まるか否かを判断するとは、情報受付モジュール１２０によって受け付けられた情報の情報量と隠蔽領域抽出モジュール３１０によって抽出された隠蔽領域内の画像を示す情報の情報量（又は圧縮モジュール３２０による圧縮後の情報量）を加算し、情報画像が表すことができる情報容量以内であれば、情報画像内に収まると判断する。情報画像が表すことができる情報容量は、その情報画像に既定されている値を用いる。
また、文書受付モジュール１１０が受け付ける文書がテキストコードを主とした文書である場合は、隠蔽領域内の画像を示す情報としては、その隠蔽領域内に含まれている文字のテキストコード（その文字属性を含んでいてもよい）であり、隠蔽領域の境界を横切っている文字の場合は、その隠蔽領域内にある文字の部分画像である。
【００３２】
選択モジュール１５０は、判断モジュール１４０、情報画像生成モジュール１６０と接続されている。選択モジュール１５０は、判断モジュール１４０によって情報画像内に収まらないと判断された場合は、その情報画像内に収まるように、隠蔽領域抽出モジュール３１０によって抽出された隠蔽領域内の画像を示す情報を選択する。
例えば、選択モジュール１５０は、隠蔽領域抽出モジュール３１０によって抽出された隠蔽領域内の画素塊がその隠蔽領域の境界を横切っていないものを優先して選択するようにしてもよい。隠蔽領域の境界を横切っていない画素塊とは、その隠蔽領域内に全部が含まれている画素塊、つまり、画素塊が隠蔽領域の内部のみにあり、外部にはない場合をいう。例えば、画素塊が文字であれば、その文字全体である。逆に、隠蔽領域の境界を横切っている画素塊とは、画素塊の一部が外部にもある場合をいい、隠蔽領域とその外部をまたがっている画素塊である。また、画素塊とは、４連結又は８連結で連続する画素領域である。このような選択にしているのは、全部が隠蔽されたわけではなく、一部のみが隠蔽された画素塊（隠蔽領域の境界を横切っている画素塊）は、隠蔽されずに残っている部分から類推可能である場合が多いが、全部が隠蔽された画素塊（隠蔽領域の境界を横切っていない画素塊）は、類推が困難である場合が多いからである。
【００３３】
また、選択モジュール１５０は、図４に例示するようなモジュール構成を有していてもよい。選択モジュール１５０は、文字切出モジュール４１０、文字認識モジュール４２０、圧縮モジュール４３０を有している。
文字切出モジュール４１０は、画像から文字を切り出す。文字切出モジュール４１０が切り出す対象の画像は、対象としている文書内であって情報画像によって隠蔽される領域を含む画像である。例えば、隠蔽領域から予め定められた距離内にある画像をいう。具体的には、隠蔽領域内の画像、隠蔽領域とその周囲１ｃｍの領域内の画像、文書全体の画像であってもよい。
切り出す文字の領域は、前述の画素塊を少なくとも含み、これらの画素塊の集合をも含む矩形の領域である。これらの画素塊の集合とは、４連結等で連続した画素領域が複数あり、その複数の画素領域は近傍にあるものをいう。ここで、近傍にあるものとは、例えば、互いの画素領域が距離的に近いもの、文章としての１行から１文字ずつ切り出すように縦又は横方向に射影し、空白地点で切り出した画像領域、又は一定間隔で切り出した画像領域等がある。したがって、文字の領域内には、隠蔽領域内の画素塊と隠蔽領域外にある画素塊がある場合がある。具体的には、漢字の偏（へん）の部分は隠蔽領域外にあるが、旁（つくり）の部分は隠蔽領域内にある場合である。
【００３４】
そして、選択モジュール１５０は、文字切出モジュール４１０によって切り出された文字が隠蔽領域の境界を横切っていないものを優先して選択する。
なお、隠蔽領域の境界を横切っていない文字を選択に含めても、情報画像内に余裕がある場合は、隠蔽領域の境界を横切っている文字を含めるようにしてもよい。その場合、隠蔽領域の境界を横切っている文字については、隠蔽領域内に含まれている文字の領域の面積と隠蔽領域外にある部分の面積と比較して、隠蔽領域内に含まれている文字の領域の面積が大きいものを優先して選択するようにしてもよい。比較する面積は、画素塊の面積（その画素塊を構成する画素の数）であってもよいし、文字を囲む矩形領域であってもよい。
なお、このように処理する場合は、文字認識モジュール４２０、圧縮モジュール４３０は、必ずしも必要ではない。
【００３５】
文字認識モジュール４２０は、前述のように文字切出モジュール４１０によって切り出された文字のうち、選択モジュール１５０が選択した文字を認識する。既存の文字認識技術を用いればよい。
そして、選択モジュール１５０は、文字認識モジュール４２０による認識結果を情報画像内に含める情報として選択する。また、その文字の大きさ、色、書体等を文字の属性として認識結果に含めるようにしてもよい。
また、文字認識モジュール４２０は、文字認識結果の確からしさを算出するようにしてもよい。そして、選択モジュール１５０は、文字認識結果の確からしさが予め定められた閾値よりも低い場合は、元の文字画像を選択するようにしてもよい。
【００３６】
また、選択モジュール１５０は、文字認識モジュール４２０によって文字認識を行っても、情報受付モジュール１２０によって受け付けられた情報と文字認識結果とが情報画像内に収まらない場合は、文字認識結果の文字を選択してもよい。例えば、文字の使用頻度順にソートしたデータを予め用意しておき、文字認識結果である文字の頻度順を比較して、頻度がより少ない文字を選択するようにしてもよい。頻度が多い文字であれば、他の文字から類推可能なこともあるからである。
また、選択モジュール１５０は、認識結果を含めた場合に、情報画像内に余裕がある場合は、隠蔽領域の境界を横切っている文字の画像を含めるようにしてもよい。
なお、このように処理する場合は、圧縮モジュール４３０は、必ずしも必要ではない。
【００３７】
圧縮モジュール４３０は、前述のように選択モジュール１５０によって選択された情報を圧縮する。圧縮処理については、圧縮モジュール３２０と同等である。選択モジュール１５０は、圧縮モジュール４３０による圧縮後の情報量によって、情報画像内に収まるように情報を選択するようにしてもよい。
なお、圧縮モジュール４３０は、必ずしも必要ではなく、前述のように選択モジュール１５０によって選択された隠蔽領域内の有色の画素の座標位置を隠蔽領域内の画像を示す情報としてもよい。
【００３８】
また、文書受付モジュール１１０が受け付けた文書がテキストデータを主とする文書である場合、選択モジュール１５０は、隠蔽領域内に含まれる文字列のテキストコード、隠蔽領域の境界を横切っている文字はその隠蔽領域内にある文字の部分画像を選択対象とする。つまり、選択対象である画像を示す情報として、テキストコード、文字の部分画像、これらの組み合わせを含んでいてもよい。そして、テキストコードに対する選択モジュール１５０による処理は、前述の文字認識モジュール４２０による文字認識後の処理と同等の処理を行えばよい。文字の部分画像に対する選択モジュール１５０による処理は、前述の隠蔽領域の境界を横切っている文字の処理と同等の処理を行えばよい。
【００３９】
情報画像生成モジュール１６０は、判断モジュール１４０、選択モジュール１５０、情報画像合成モジュール１７０と接続されている。情報画像生成モジュール１６０は、情報受付モジュール１２０によって受け付けられた情報と選択モジュール１５０によって選択された画像を示す情報を表す情報画像を生成する。
また、情報画像生成モジュール１６０は、情報受付モジュール１２０によって受け付けられた情報と選択モジュール１５０によって選択された認識結果を表す情報画像を生成するようにしてもよい。
【００４０】
情報画像合成モジュール１７０は、文書受付モジュール１１０、情報画像生成モジュール１６０、出力モジュール１８０と接続されている。情報画像合成モジュール１７０は、情報画像生成モジュール１６０によって生成された情報画像を合成位置受付モジュール１３０によって受け付けられた位置情報に基づいて、文書受付モジュール１１０によって受け付けられた文書に合成する。つまり、文書内の位置情報が示す位置に、情報画像を貼り付ける。
【００４１】
出力モジュール１８０は、情報画像合成モジュール１７０と接続されている。出力モジュール１８０は、情報画像合成モジュール１７０によって情報画像が合成された文書を出力する。ここで、画像を出力するとは、例えば、プリンタ等の印刷装置で印刷すること、ディスプレイ等の表示装置に表示すること、ファックス等の画像送信装置で画像を送信すること、画像データベース等の画像記憶装置へ画像を書き込むこと、メモリーカード等の記憶媒体に記憶すること、他の情報処理装置へ渡すこと等が含まれる。
【００４２】
図５は、本実施の形態（情報画像合成）による処理例を示すフローチャートである。
ステップＳ５０２では、文書受付モジュール１１０が、対象文書を受け付ける。例えば、図８（ａ）に例示する対象文書８００を受け付ける。
【００４３】
ステップＳ５０４では、情報受付モジュール１２０が、情報画像内に埋め込む情報を受け付ける。図２に例示した情報画像処理モジュール２００を用いた埋込情報を受け付ける処理について、図６を用いて説明する。図６は、情報画像処理モジュール２００による処理例を示すフローチャートである。
ステップＳ６０２では、情報画像受付モジュール２１０が、情報画像を受け付ける。
ステップＳ６０４では、情報画像解析モジュール２２０が、情報画像を解析する。この解析結果を、情報受付モジュール１２０が埋込情報として受け付ける。
ステップＳ６０６では、情報画像サイズ計測モジュール２３０が、情報画像のサイズを計測する。
【００４４】
ステップＳ５０６では、合成位置受付モジュール１３０が、文書内における情報画像を合成する位置を受け付ける。例えば、図８（ｂ）に例示するように、対象文書８００に対して情報画像８１０を合成するユーザーの指示に応じて、その合成位置を受け取る。
【００４５】
ステップＳ５０８では、隠蔽領域抽出モジュール３１０が、隠蔽領域を抽出する。
隠蔽領域について、図９を用いて説明する。図９は、情報画像の例を示す説明図である。隠蔽領域９００は、情報画像領域９１０と必要周辺領域９２０によって成っている。必要周辺領域９２０は、情報画像領域９１０を解析して内容を読み出すために必要な空白領域であり、情報画像の種類によって既定されている。したがって、情報画像を合成することによって、情報画像領域９１０の他に必要周辺領域９２０の領域も元の文書から隠蔽されることになる。
図１０は、隠蔽領域内の処理例を示す説明図である。図１０（ａ）に例示するように、対象文書８００に情報画像８１０を合成することによって、隠蔽領域１０１０内の文字が消去されてしまう。隠蔽領域１０１０内の画像は、図１０（ｂ）の例となる。
【００４６】
ステップＳ５１０では、圧縮モジュール３２０が、隠蔽領域内の画像を圧縮する。
ステップＳ５１２では、判断モジュール１４０が、埋め込み情報と隠蔽領域の圧縮後の情報は情報画像内に収まるか否かを判断し、収まる場合はステップＳ５１６へ進み、それ以外の場合はステップＳ５１４へ進む。ここで、ステップＳ５１０の処理を行わずに、埋め込み情報と隠蔽領域内の情報は情報画像内に収まるか否かを判断するようにしてもよい。
【００４７】
ステップＳ５１４では、選択モジュール１５０が、隠蔽領域内の画像を示す情報を選択する。図４に例示した選択モジュール１５０を用いた選択処理について、図７を用いて説明する。図７は、選択モジュール１５０による処理例を示すフローチャートである。
ステップＳ７０２では、文字切出モジュール４１０が、情報画像を合成する位置の周辺領域を抽出する。図１０（ａ）の例示では、隠蔽領域１０１０を含むように周辺領域を抽出する。例えば、隠蔽領域１０１０の境界を横切っている画素塊を含むようにしてもよい。図１０（ａ）の例では、文字「ｍ」、「ｐ」が含まれるように隠蔽領域１０１０の周辺領域を抽出する。
ステップＳ７０４では、文字切出モジュール４１０が、文字を切り出す。図１０（ａ）の例では、文字「ｍ」、「ｎ」、「ｏ」、「ｐ」を切り出す。
【００４８】
ステップＳ７０６では、選択モジュール１５０が、隠蔽領域と切り出した文字との関係を抽出する。関係として、図１０（ａ）の例では、文字「ｍ」との関係は隠蔽領域１０１０の境界を横切っている文字であり、文字「ｎ」との関係は隠蔽領域１０１０の境界を横切っていない文字であり、文字「ｏ」との関係は隠蔽領域１０１０の境界を横切っていない文字であり、文字「ｐ」との関係は隠蔽領域１０１０の境界を横切っている文字である。
ステップＳ７０８では、文字認識モジュール４２０が、隠蔽領域内にある文字を文字認識する。図１０（ｃ）の例では、隠蔽領域１０１０の境界を横切っていない文字である外接矩形１０１４内の文字「ｎ」と外接矩形１０１６内の文字「ｏ」を文字認識する。
ステップＳ７１０では、選択モジュール１５０が、情報画像内に収まるか否かを判断し、収まる場合はステップＳ７１４へ進み、それ以外の場合はステップＳ７１２へ進む。ステップＳ５１２と同等の判断処理であり、ステップＳ５０４で受け付けた埋込情報とステップＳ７０８での文字認識結果は、情報画像内に収まるか否かを判断する。
【００４９】
ステップＳ７１２では、選択モジュール１５０が、文字認識結果を選択する。例えば、前述のように、文字認識結果である文字の頻度順を比較して、頻度がより少ない文字を選択するようにしてもよい。
ステップＳ７１４では、圧縮モジュール４３０が、文字認識した文字の画像以外の画像を圧縮する。図１０（ｃ）の例では、隠蔽領域１０１０の境界を横切っている文字である外接矩形１０１２内の文字「ｍ」の一部と外接矩形１０１８内の文字「ｐ」の一部の画像を圧縮する。
ステップＳ７１６では、選択モジュール１５０が、情報画像内に収まるか否かを判断し、収まる場合はステップＳ７２０へ進み、それ以外の場合はステップＳ７１８へ進む。ステップＳ７１０と同等の判断処理であり、ステップＳ５０４で受け付けた埋込情報とステップＳ７１４での圧縮後のデータは、情報画像内に収まるか否かを判断する。
ステップＳ７１８では、選択モジュール１５０が、文字認識した文字の画像以外の画像から情報画像内に含める画像を選択する。例えば、前述のように、隠蔽領域内に含まれている文字の領域の面積と隠蔽領域外にある部分の面積と比較して、隠蔽領域内に含まれている文字の領域の面積が大きいものを優先して選択するようにしてもよい。
ステップＳ７２０では、選択モジュール１５０が、文字認識結果、圧縮画像を情報画像内に含める情報として選択する。
【００５０】
ステップＳ５１６では、情報画像生成モジュール１６０が、隠蔽領域の情報を付加した情報画像を生成する。図１０（ｄ）に例示するように、情報画像内の基本データ部１０２２にステップＳ５０４で受け付けた埋込情報を設定し、余剰部１０２４にステップＳ７２０で選択された情報画像内に含める情報を設定する。基本データ部１０２２に設定する情報のフォーマットとして、例えば、埋込情報フォーマット１１００がある。図１１は、埋込情報フォーマット１１００の例を示す説明図である。埋込情報フォーマット１１００として、番号欄１１１０、ｔｙｐｅ欄１１２０、意味欄１１３０、最大容量欄１１４０、アドレス範囲欄１１５０、初期値欄１１６０を有している。番号欄１１１０は、埋込情報フォーマット１１００内の情報を一意に特定する識別符号を示している。ｔｙｐｅ欄１１２０は、その情報の型（タイプ）を示している。意味欄１１３０は、その情報の意味を示している。最大容量欄１１４０は、その情報の最大容量を示している。アドレス範囲欄１１５０は、情報画像内において、その情報が占めるアドレス範囲を示している。初期値欄１１６０は、その情報の初期値を示している。
【００５１】
ステップＳ５１８では、情報画像合成モジュール１７０が、文書に生成した情報画像を合成位置に合成する。図１０（ｅ）に例示するように、対象文書８００にステップＳ５１６で生成した情報画像８１０を合成する。
ステップＳ５２０では、出力モジュール１８０が、情報画像を合成した文書の画像を出力する。
【００５２】
図１２は、本実施の形態（情報画像解析）の構成例についての概念的なモジュール構成図である。この画像処理装置は、前述の画像処理装置（情報画像合成）によって、情報画像が合成された文書における情報画像を解析するものであって、図１２の例に示すように、文書受付モジュール１２１０、情報画像抽出モジュール１２２０、情報画像解析モジュール１２３０、処理モジュール１２４０、隠蔽領域復元モジュール１２５０、復元文書出力モジュール１２６０を有している。
【００５３】
文書受付モジュール１２１０は、情報画像抽出モジュール１２２０と接続されている。情報画像が合成された文書を受け付ける。なお、受け付ける文書は画像である。そして、その文書を情報画像抽出モジュール１２２０へ渡す。ここでの文書は、図１の例に示す画像処理装置が出力した文書であり、例えば、その文書に対してユーザーが書き込み等を行ったものであってもよい。
情報画像抽出モジュール１２２０は、文書受付モジュール１２１０、情報画像解析モジュール１２３０と接続されている。文書受付モジュール１２１０によって受け付けられた文書内にある情報画像を抽出する。そして、その情報画像を情報画像解析モジュール１２３０へ渡す。文書内から情報画像を抽出する処理は、従来技術を用いる。
【００５４】
情報画像解析モジュール１２３０は、情報画像抽出モジュール１２２０、処理モジュール１２４０、隠蔽領域復元モジュール１２５０と接続されている。情報画像抽出モジュール１２２０によって抽出された情報画像を解析する。つまり、その情報画像が示す情報を取り出すことを行う。そして、取り出した情報を処理モジュール１２４０、隠蔽領域復元モジュール１２５０へ渡す。解析結果として、第１の実施の形態の情報受付モジュール１２０が受け付けた情報（例えば、文書の属性情報、文書に対する処理の命令等）、その情報画像が隠蔽している領域に関する情報がある。
処理モジュール１２４０は、情報画像解析モジュール１２３０と接続されている。例えば、情報画像解析モジュール１２３０によって解析された結果内の文書の属性情報又は処理命令に基づいて、復元文書出力モジュール１２６０によって出力される文書又は文書受付モジュール１２１０によって受け付けられた文書を処理する。処理対象の文書としては、文書受付モジュール１２１０が受け付けた情報画像が合成されている文書、復元文書出力モジュール１２６０が出力する文書（情報画像が取り除かれており、隠蔽領域が復元されている文書）の２種類がある。いずれを処理対象とするかについては、予め定められたいずれかの文書を対象とすること、処理命令の指示に従うことがある。
【００５５】
隠蔽領域復元モジュール１２５０は、情報画像解析モジュール１２３０、復元文書出力モジュール１２６０と接続されている。情報画像解析モジュール１２３０によって解析された結果内の隠蔽領域内の画像を示す情報に基づいて、その隠蔽された領域の画像を復元する。隠蔽領域内の画像を示す情報には、テキストコード（文字認識された結果であってもよい、そして、その文字属性を含んでいてもよい）、隠蔽領域の圧縮画像、又はこれらの組み合わせ等が含まれている。これらを用いて、隠蔽されている対象を描画（文字属性に従ったテキストの描画、圧縮画像の伸張等）する。そして、復元した画像を復元文書出力モジュール１２６０へ渡す。
【００５６】
復元文書出力モジュール１２６０は、隠蔽領域復元モジュール１２５０と接続されている。隠蔽領域復元モジュール１２５０によって復元された隠蔽領域の画像を文書受付モジュール１２１０によって受け付けられた文書に合成した文書を出力する。つまり、情報画像を取り除いて、その隠蔽されていた領域を復元した文書を出力する。また、復元された隠蔽領域の画像を文書受付モジュール１２１０によって受け付けられた文書に付加して出力するようにしてもよい。復元された隠蔽領域の画像を文書に付加するとは、文書に重ねて表示するレイヤー情報（例えば、アノテーション情報）として付加すること等である。ここで、文書を出力するとは、処理モジュール１２４０へ出力することの他に、例えば、プリンタ等の印刷装置で印刷すること、ディスプレイ等の表示装置に表示すること、ファックス等の画像送信装置で文書の画像を送信すること、文書データベース等の記憶装置へ文書を書き込むこと、メモリーカード等の記憶媒体に記憶すること、他の情報処理装置（いわゆる電子ペーパー等を含む）へ渡すこと等が含まれる。
【００５７】
また、復元文書出力モジュール１２６０は、情報画像抽出モジュール１２２０によって抽出された情報画像又は文書に対する処理の命令を示す情報画像を文書（復元された隠蔽領域の画像が合成された文書）に付加して出力するようにしてもよい。情報画像を文書に付加するとは、前述と同様に、情報画像を文書に重ねて表示するレイヤー情報として付加すること等である。また、情報画像としては、文書受付モジュール１２１０が受け付けた文書内の情報画像そのものの他に、その情報画像内に示されている文書属性、処理命令の情報を示す情報画像であってもよい。後者の情報画像は、図１の例に示した情報受付モジュール１２０が受け付けた情報だけを含む情報画像となっており、前者の情報画像から隠蔽領域に関する情報を削除したものである。
【００５８】
図１３は、本実施の形態（情報画像解析）による処理例を示すフローチャートである。
ステップＳ１３０２では、文書受付モジュール１２１０が、対象文書を受け付ける。ここで受け付ける文書は、図５の例で示したフローチャート内のステップＳ５２０で出力された文書である。また、その文書に対して利用者が書き込みを行ったものであってもよい。
ステップＳ１３０４では、情報画像抽出モジュール１２２０が、文書内の情報画像を抽出する。ここで抽出する情報画像は、図５の例で示したフローチャート内のステップＳ５１８で合成された情報画像である。
ステップＳ１３０６では、情報画像解析モジュール１２３０が、情報画像を解析する。
【００５９】
ステップＳ１３０８では、隠蔽領域復元モジュール１２５０が、情報画像内の隠蔽領域の情報を利用して隠蔽領域の画像を復元する。
ステップＳ１３１０では、復元文書出力モジュール１２６０が、復元した文書を出力する。
ステップＳ１３１２では、処理モジュール１２４０が、情報画像内の情報を用いて、ステップＳ１３０２で受け付けた文書又はステップＳ１３１０で出力した文書の処理を行う。
【００６０】
図１４を参照して、本実施の形態の画像処理装置のハードウェア構成例について説明する。図１４に示す構成は、例えばパーソナルコンピュータ（ＰＣ）などによって構成されるものであり、スキャナ等のデータ読み取り部１４１７と、プリンタなどのデータ出力部１４１８を備えたハードウェア構成例を示している。
【００６１】
ＣＰＵ（Ｃｅｎｔｒａｌ  Ｐｒｏｃｅｓｓｉｎｇ  Ｕｎｉｔ）１４０１は、前述の実施の形態において説明した各種のモジュール、すなわち、判断モジュール１４０、選択モジュール１５０、情報画像生成モジュール１６０、情報画像合成モジュール１７０、情報画像抽出モジュール１２２０、情報画像解析モジュール１２３０、処理モジュール１２４０、隠蔽領域復元モジュール１２５０等の各モジュールの実行シーケンスを記述したコンピュータ・プログラムにしたがった処理を実行する制御部である。
【００６２】
ＲＯＭ（Ｒｅａｄ  Ｏｎｌｙ  Ｍｅｍｏｒｙ）１４０２は、ＣＰＵ１４０１が使用するプログラムや演算パラメータ等を格納する。ＲＡＭ（Ｒａｎｄｏｍ  Ａｃｃｅｓｓ  Ｍｅｍｏｒｙ）１４０３は、ＣＰＵ１４０１の実行において使用するプログラムや、その実行において適宜変化するパラメータ等を格納する。これらはＣＰＵバスなどから構成されるホストバス１４０４により相互に接続されている。
【００６３】
ホストバス１４０４は、ブリッジ１４０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス１４０６に接続されている。
【００６４】
キーボード１４０８、マウス等のポインティングデバイス１４０９は、操作者により操作される入力デバイスである。ディスプレイ１４１０は、液晶表示装置又はＣＲＴ（Ｃａｔｈｏｄｅ  Ｒａｙ  Ｔｕｂｅ）などがあり、各種情報をテキストやイメージ情報として表示する。
【００６５】
ＨＤＤ（Ｈａｒｄ  Ｄｉｓｋ  Ｄｒｉｖｅ）１４１１は、ハードディスクを内蔵し、ハードディスクを駆動し、ＣＰＵ１４０１によって実行するプログラムや情報を記録又は再生させる。ハードディスクには、受け付けた文書、情報画像内に含める情報、隠蔽領域内の画像、情報画像、情報画像の解析結果などが格納される。さらに、その他の各種のデータ処理プログラム等、各種コンピュータ・プログラムが格納される。
【００６６】
ドライブ１４１２は、装着されている磁気ディスク、光ディスク、光磁気ディスク、又は半導体メモリ等のリムーバブル記録媒体１４１３に記録されているデータ又はプログラムを読み出して、そのデータ又はプログラムを、インタフェース１４０７、外部バス１４０６、ブリッジ１４０５、及びホストバス１４０４を介して接続されているＲＡＭ１４０３に供給する。リムーバブル記録媒体１４１３も、ハードディスクと同様のデータ記録領域として利用可能である。
【００６７】
接続ポート１４１４は、外部接続機器１４１５を接続するポートであり、ＵＳＢ、ＩＥＥＥ１３９４等の接続部を持つ。接続ポート１４１４は、インタフェース１４０７、及び外部バス１４０６、ブリッジ１４０５、ホストバス１４０４等を介してＣＰＵ１４０１等に接続されている。通信部１４１６は、ネットワークに接続され、外部とのデータ通信処理を実行する。データ読み取り部１４１７は、例えばスキャナであり、ドキュメントの読み取り処理を実行する。データ出力部１４１８は、例えばプリンタであり、ドキュメントデータの出力処理を実行する。
【００６８】
なお、図１４に示す画像処理装置のハードウェア構成は、１つの構成例を示すものであり、本実施の形態は、図１４に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続しているような形態でもよく、さらに図１４に示すシステムが複数互いに通信回線によって接続されていて互いに協調動作するようにしてもよい。また、複写機、ファックス、スキャナ、プリンタ、複合機（スキャナ、プリンタ、複写機、ファックス等のいずれか２つ以上の機能を有している画像処理装置）などに組み込まれていてもよい。
【００６９】
なお、図１、図１２の例に示した画像処理装置を組み合わせてもよい。つまり、１つの画像処理装置内で情報画像の合成処理と情報画像の解析処理を行うようにしてもよい。また、各モジュールの処理内容として背景技術で説明した技術を採用してもよい。
【００７０】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通などのために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ  Ｄｉｓｃ（登録商標））、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）等が含まれる。
そして、前記のプログラム又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにこれらの組み合わせ等の伝送媒体を用いて伝送させてもよく、また、搬送波に乗せて搬送させてもよい。
さらに、前記のプログラムは、他のプログラムの一部分であってもよく、あるいは別個のプログラムと共に記録媒体に記録されていてもよい。また、複数の記録媒体に分割して
記録されていてもよい。また、圧縮や暗号化など、復元可能であればどのような態様で記録されていてもよい。
【符号の説明】
【００７１】
１１０…文書受付モジュール
１２０…情報受付モジュール
１３０…合成位置受付モジュール
１４０…判断モジュール
１５０…選択モジュール
１６０…情報画像生成モジュール
１７０…情報画像合成モジュール
１８０…出力モジュール
２００…情報画像処理モジュール
２１０…情報画像受付モジュール
２２０…情報画像解析モジュール
２３０…情報画像サイズ計測モジュール
３１０…隠蔽領域抽出モジュール
３２０…圧縮モジュール
４１０…文字切出モジュール
４２０…文字認識モジュール
４３０…圧縮モジュール
１２１０…文書受付モジュール
１２２０…情報画像抽出モジュール
１２３０…情報画像解析モジュール
１２４０…処理モジュール
１２５０…隠蔽領域復元モジュール
１２６０…復元文書出力モジュール
【図１】
0005720166.tif 000002
【図２】
0005720166.tif 000003
【図３】
0005720166.tif 000004
【図４】
0005720166.tif 000005
【図５】
0005720166.tif 000006
【図６】
0005720166.tif 000007
【図７】
0005720166.tif 000008
【図８】
0005720166.tif 000009
【図９】
0005720166.tif 000010
【図１０】
0005720166.tif 000011
【図１１】
0005720166.tif 000012
【図１２】
0005720166.tif 000013
【図１３】
0005720166.tif 000014
【図１４】
0005720166.tif 000015